(57)【特許請求の範囲】
【請求項１】
装置本体と、該装置本体に備えられた燃焼部と、該燃焼部内にある給湯熱交換器で加熱された湯水が流動する給湯回路と、外気温を検出する外気温センサと、前記装置本体での運転開始の設定をするリモコンと、該リモコンで設定した情報を報知する報知部と、該報知部で所定の情報が報知されるよう制御する制御部とを備えた給湯装置において、前記制御部は、前記リモコンで運転開始が設定されたら前記外気温センサでの検出値に基づき、前記報知部から使用者による省エネとなる給湯使用方法のアドバイスを報知することを特徴とする給湯装置。
【請求項２】
前記制御部に前記外気温センサでの検出値と外気温の基準として設定された基準値とを比較する温度比較手段を備え、該温度比較手段で比較した結果に基づき前記報知部から報知する内容を変化させることを特徴とする請求項１記載の給湯装置。
【発明の詳細な説明】
【技術分野】
【０００１】
この発明は、燃焼部に備えられた熱交換器で加熱された湯水を使用する給湯装置に関するものである。
【背景技術】
【０００２】
従来、この種のものにおいて、給湯回路と接続したシャワー使用時における給湯流量の瞬間値を検出し、使用者がリモコンで予め設定した給湯流量の目標値と検出した瞬間値とを比較して、前記瞬間値が前記目標値以下あるいは目標範囲内の値であると判断すると、リモコンで現在の使用流量が省エネであることを示す表示や音声を出力することで、使用者に省エネでの使用を実感させシャワー使用時の給湯量を控えめにする意識を持たせるものがあった。（例えば、特許文献１）
【先行技術文献】
【特許文献】
【０００３】
【特許文献１】特開２００９−２４９１３号公報
【発明の概要】
【発明が解決しようとする課題】
【０００４】
しかし、この従来のものでは、シャワーを使用して給湯回路内の湯水を流動させなければ、現在の給湯使用量が省エネなのか判断できず、また、使用者がシャワー中にリモコンから出力された表示や音声に気づかなければ省エネを意識することができないため、使用する給湯量を控えることができない問題があった。
【課題を解決するための手段】
【０００５】
上記課題を解決するために、本発明の請求項１では装置本体と、該装置本体に備えられた燃焼部と、該燃焼部内にある給湯熱交換器で加熱された湯水が流動する給湯回路と、外気温を検出する外気温センサと、前記装置本体での運転開始の設定をするリモコンと、該リモコンで設定した情報を報知する報知部と、該報知部で所定の情報が報知されるよう制御する制御部とを備えた給湯装置において、前記制御部は、前記リモコンで運転開始が設定されたら前記外気温センサでの検出値に基づき、前記報知部から使用者による省エネとなる給湯使用方法のアドバイスを報知するものである。
【０００６】
また、請求項２では前記制御部に前記外気温センサでの検出値と外気温の基準として設定された基準値とを比較する温度比較手段を備え、該温度比較手段で比較した結果に基づき前記報知部から報知する内容を変化させるものである。
【発明の効果】
【０００７】
この発明の請求項１によれば、リモコンで装置本体の運転開始が設定されたら外気温センサでの検出値に基づき省エネ使用を促す報知をおこなうので、使用者が加熱された湯水を使用開始する前に省エネとなる使用方法が報知され、省エネを意識した湯水の使用を確実におこなえる。
【０００８】
また、請求項２によれば、外気温と基準値とを比較した結果に基づいて報知内容を変化させるので、装置本体が設置された場所に合わせた省エネ使用を促す報知が可能となる。
【図面の簡単な説明】
【０００９】
【図１】この発明の一実施形態を示す概略構成図
【図２】同発明の制御ブロック図
【図３】同発明の運転開始時を示すフローチャート
【図４】同発明のアドバイスＡ報知後を示すフローチャート
【図５】同発明のアドバイスＢ報知後を示すフローチャート
【発明を実施するための形態】
【００１０】
次に、この発明の一実施形態を図面に基づいて説明する。
１は内部に給湯回路２、風呂回路３、湯張り回路４とを備え屋外に設置された装置本体であり、５は灯油等の燃料を燃焼するバーナ６を備えた燃焼部である。
【００１１】
前記給湯回路２は、給水栓５が設置された給水管６と、燃焼部５に設置され配管内の湯水を加熱する給湯熱交換器７で加熱された高温水が流動する給湯管８とで構成されている。
【００１２】
９は給水管６内にある水の温度を検出する給水温度センサ、１０は給水管６を流動する水の流量を検出する給水流量センサ、１１は給湯管８の途中に設置され一端が給水管６内の水を導く給水バイパス管１２と接続することで湯水を混合する給湯混合弁、１３は湯水の流量を制御する水比例弁、１４は給湯混合弁１１で混合された湯水の温度を検出する給湯温度センサである。
【００１３】
１５は給湯管８に接続した出湯管であり、洗面所等に設置された給湯栓１６を開栓することで出湯管１５内の湯水が出湯する。
【００１４】
前記風呂回路３は、燃焼部５に設置された風呂熱交換器１７で加熱された浴槽水を浴槽１８へ流入する風呂戻り管１９と、浴槽１８内の浴槽水を風呂熱交換器１７へ流入する風呂往き管２０とで構成されている。
【００１５】
２１は風呂戻り管１９途中にあり後述する湯張り回路４と一端が接続された風呂三方弁、２２は風呂回路３内の浴槽水を強制循環させる風呂循環ポンプ、２３は循環する浴槽水の温度を検出する風呂温度センサ、２４は配管内の浴槽水が流動しているか検出する風呂フローセンサ、２５は浴槽１８にある浴槽水の水位を検出する風呂水位センサである。
【００１６】
前記湯張り回路４は、給湯管８と分岐し風呂三方弁２１と一端が接続された湯張り管２６で構成されており、２７は湯張り管２６内の湯水の流動を弁を開閉して制御する湯張り電磁弁、２８は湯張り管２６内を流動する湯水の流量を検出する湯張り流量センサ、２９は湯張り管２６内の湯水が逆流しないよう二重に設置された湯張り逆止弁である。
【００１７】
３０はボタン操作することで各種設定が可能なリモコンであり、装置本体１の運転開始と運転終了をＯＮ／ＯＦＦ操作して設定可能な運転スイッチ３１と、浴槽１８に設定量の湯水を湯張りする自動湯張りスイッチ３２と、給湯や風呂の設定温度を変更する温度変更スイッチ３３と、現在時刻や設定した情報を表示するディスプレイ３４と、自動湯張りスイッチ３２が操作された時や温度変更スイッチ３３で給湯、風呂の設定温度を変更した時に設定内容を音声で報知する報知部３５とが備えられている。
【００１８】
３６は装置本体１の外装に設置され外気温を検出する外気温センサであり、装置本体１周囲の温度を検出する。
【００１９】
３７はマイコンで構成され装置本体１の制御をおこなう制御部であり、前記外気温センサ３６で検出された温度と事前に設定された基準値とを比較する温度比較手段３８が備えられており、各温度センサや流量センサで検出された値に基づき、バーナ６による燃焼のＯＮ／ＯＦＦ制御や給湯混合弁１１の開度を変化させ、前記リモコン３０で使用者が設定した温度の湯水が給湯栓１６や浴槽１８に供給されるよう調節する。
【００２０】
次に、給湯使用時や風呂湯張り運転時における制御について図３から図５のフローチャートに基づいて説明する。
まず、制御部３７がリモコン３０の運転スイッチ３１がＯＮ操作されたことを検知したら（Ｓ１０１）、温度比較手段３８は外気温センサ３６での検出値と事前に設定された基準値である２０℃とを比較し（Ｓ１０２）、外気温センサ３６での検出値が２０℃以上であれば、外気温が高めなので高温水の使用量を控えめにすることが可能であり、手を洗う等で使用するのであれば高温水を使用する必要がない状態なので、「湯の設定温度を低下させなるべく水を使用してください」とのアドバイスＡを報知部３５から報知し（Ｓ１０３）、外気温センサ３６での検出値が２０℃未満であれば、外気温が低めなので高温水の使用量に注意してなるべく節約する意識を使用者に持たせるよう、「湯の使用時はこまめに止めて使用量に注意してください」とのアドバイスＢを報知部３５から報知する（Ｓ１０４）。
【００２１】
Ｓ１０３でアドバイスＡを報知した後、外気温センサ３６での検出値が２０℃未満になり（Ｓ２０１）、リモコン３０の温度変更スイッチ３３を操作して設定温度を高くしたら（Ｓ２０２）、外気温が低下して設定温度を高くしたのでバーナ６での燃焼時間や通電時間が増えて省エネ使用の意識が薄れることを防止するため、制御部３７は、Ｓ１０４で報知部３５からアドバイスＢを報知して再度省エネ使用の意識を高めるようにする。また、Ｓ２０１で外気温センサ３６での検出値が２０℃以上かＳ２０２で温度変更スイッチ３３で設定温度を高くしなかったら、制御部３７は、リモコン３０の運転スイッチ３１がＯＦＦ操作されたか判断し（Ｓ２０３）、ＯＦＦ操作されていれば運転終了させ、ＯＦＦ操作されていなければ、再度Ｓ２０１で外気温センサ３６での検出値を確認する。
【００２２】
また、Ｓ１０４でアドバイスＢを報知した後、外気温センサ３６での検出値が２０℃以上になり（Ｓ３０１）、リモコン３０の温度変更スイッチ３３を操作して設定温度を高くしたら（Ｓ３０２）、外気温が高くなった状態で設定温度を上げたので無駄な高温水の使用を防止して省エネを使用者に意識させるため、制御部３７は、Ｓ１０３で報知部３５からアドバイスＡを報知して再度省エネ使用の意識を高めるようにする。また、Ｓ３０１で外気温センサ３６での検出値が２０℃未満かＳ３０２で温度変更スイッチ３３で設定温度を高くしなかったら、制御部３７は、リモコン３０の運転スイッチ３１がＯＦＦ操作されたか判断し（Ｓ３０３）、ＯＦＦ操作されていれば運転終了させ、ＯＦＦ操作されていなければ、再度Ｓ３０１で外気温センサ３６での検出値を確認する。
【００２３】
なお、本実施例では外気温の基準値を２０℃とし、外気温と２０℃とを比較してアドバイス内容を変更するものだったが、この内容に限定されるものではなく、例えば、外気温が３０℃以上の場合や１０℃未満の場合等、様々な温度に応じて報知する内容を変化させるものであってもよく、装置本体１の使用環境に即して省エネとなるアドバイスを報知することで省エネ効率を向上させ、使用者に省エネでの使用を意識させることが可能なものであればよい。
【００２４】
以上のように、リモコン３０の運転スイッチ３１がＯＮ操作されたら外気温に応じた省エネ使用を促すアドバイスを報知し、アドバイス報知後に外気温センサ３６での検出値や設定温度の変更によって報知部３５から報知するアドバイスの内容を変化させることで、給湯や風呂で加熱された高温水を使用する際に使用者が省エネ使用を確実に意識することができ、装置本体１の使用環境や使用方法に応じて適切な省エネとなる使用方法が簡単に分かるものである。
【００２５】
なお、本発明は上記実施例に限定されるものではなく、例えば、報知部３５から音声で報知するアドバイスをリモコン３０のディスプレイ３４に文字で表示してもよく、運転スイッチ３１がＯＮ操作された時や設定温度を上昇させた時にディスプレイ３４で文字による報知をすることで、使用者が視覚で省エネとなる使用方法を把握することができる。
【００２６】
また、上記実施例では外気温センサ３６での検出値に基づいて省エネとなる使用方法を報知する内容だが、給水管６内を流動する給水の温度から報知することも可能であり、給水温度センサ９で検出された給水温度に基づき、報知部３５からアドバイスを報知することで省エネでの使用を促すことができる。
【００２７】
また、他の実施形態として浴室の温度を検出する浴室温度センサを浴室内に設置し、検出された浴室内の温度によって報知するアドバイスの内容を変更するものであってもよく、例えば、浴室内の温度が基準値より低いときは浴槽１８にふたをして間隔をあけずに入浴するよう促す内容を報知することで浴槽水の温度低下のスピードを緩和させ、浴槽水を設定温度に保温する追い焚き動作の回数を減少させ、燃焼部５のバーナ６による燃焼を最小限に抑えることができるので、燃料使用量や電力消費を減らし省エネでの風呂使用を可能とする。
【符号の説明】
【００２８】
１    装置本体
２    給湯回路
５    燃焼部
３０    リモコン
３１    運転スイッチ
３５    報知部
３６    外気温センサ
３７    制御部
３８    温度比較手段
【図１】
0005864967.tif 000002
【図２】
0005864967.tif 000003
【図３】
0005864967.tif 000004
【図４】
0005864967.tif 000005
【図５】
0005864967.tif 000006